(57)【要約】      （修正有）【課題】組み立てが容易でありながら、風雨に耐える強固なカーブミラーを提供する。【解決手段】鏡面１が凸状に形成された鏡体２と、中央に上記鏡面の凸状部が突出する穴部３を有し、その穴部の周囲の内面は鏡面の湾曲率と同じ湾曲形状となし、かかる湾曲形状同志の接合で鏡面を保持する短筒状４の枠体５と、この枠体内に外周が嵌合する垂直な碗状で、先端部は上記鏡体の裏面周囲を押圧し、鏡体と枠体の接合部を確実なものとしたバックプレート６と、上記バックプレートの背面に設けられ、柱７に取り付ける為の取付け金具８とよりなり、上記枠体の背面周囲は、上記これに嵌合されるバックプレートの長さより長く、この長い部分９をバックプレートの背面より該バックプレートの内面に折曲げ、鏡体，枠体，バックプレートを一体化してなる。        【選択図】図１
2006183420.tif 000002
【特許請求の範囲】
【請求項１】
鏡面（１）が凸状に形成された鏡体（２）と、
中央に上記鏡面（１）の凸状部が突出する穴部（３）を有し、その穴部（３）の周囲の内面は鏡面（１）の湾曲率と同じ湾曲形状となし、かかる湾曲形状同志の接合で鏡面（１）を保持する短筒状（４）の枠体（５）と、
この枠体（５）内に外周が嵌合する垂直な碗状で、先端部は上記鏡体（２）の裏面周囲を押圧し、鏡体（２）と枠体（５）の接合部を確実なものとしたバックプレート（６）と、
上記バックプレート（６）の背面に設けられ、柱（７）に取り付ける為の取付け金具（８）とよりなり、
上記枠体（５）の背面周囲は、上記これに嵌合されるバックプレート（６）の長さより長く、この長い部分（９）をバックプレート（６）の背面より該バックプレート（６）の内面に折曲げ、鏡体（２），枠体（５），バックプレート（６）を一体化することを特徴としたカーブミラー
【発明の詳細な説明】
【技術分野】
【０００１】
本発明は特に組み立てが容易でありながら、風雨に耐える強固なカーブミラー（道路反射鏡）に関する。
【背景技術】
【０００２】
カーブミラーは未透視の悪い山岳地やビルの谷間など、風雨や風雪の激しい場所に設置されることが多く、頑丈な構造のものが要求されている。また近頃は反射鏡面の結露を防止させる目的から、畜熱材や断熱材が用いた構造（特許文献１，２参照）が多くそれだけカーブミラー本体は、これらの荷重に充分対処できるものが要求される。
【０００３】
また従来のカーブミラーの組み立てにあっては、鏡体と枠体とバックプレートを一体に固定するのにボルトナットのような複数の止め金具を必要とし、現場での組み立て作業が面倒であったり、かかる止め金具が風雨等で腐食しカーブミラー全体の寿命を短くしたりするなどの欠点を有していた。
【特許文献１】特公平５−８４７６４号
【特許文献２】特開平１０−３１７３２８号
【発明の開示】
【発明が解決しようとする課題】
【０００４】
本発明の目的は、上記従来の欠点を除去するもので、部品点数が少なくそれだけ構造簡単で製造し易ものであり乍ら、激しい風雨や風雪に耐える強固なカーブミラーを提供するにある。
【課題を解決するための手段】
【０００５】
而して本発明の特徴は、鏡面（１）が凸状に形成された鏡体（２）と、中央に上記鏡面（１）の凸状部が突出する穴部（３）を有し、その穴部（３）の周囲の内面は鏡面（１）の湾曲率と同じ湾曲形状となし、かかる湾曲形状同志の接合で鏡面（１）を保持する短筒状（４）の枠体（５）と、この枠体（５）内に外周が嵌合する垂直な碗状で、先端部は上記鏡体（２）の裏面周囲を押圧し、鏡体（２）と枠体（５）の接合部を確実なものとしたバックプレート（６）と、上記バックプレート（６）の背面に設けられ、柱（７）に取り付ける為の取付け金具（８）とよりなることである。
【０００６】
また上記枠体（５）の背面周囲は、上記これに嵌合されるバックプレート（６）の長さより長く、この長い部分（９）をバックプレート（６）の背面より該バックプレート（６）の内面方向に折曲げ、鏡体（２），枠体（５），バックプレート（６）を一体化したことも本発明の特徴である。
【発明の効果】
【０００７】
而して本発明は、従来のように鏡体（２）と枠体（５）とバックプレート（６）を一体に固定するのにボルトナットのような複数の止め金具を必要としたのに対し、かかる止め金具を必要としないから、風雨等で腐食しカーブミラー全体の寿命を短くするなどの欠点を除去できたのである。
【０００８】
またその組み立ても、上記のように枠体（５）の長い部分（９）をバックプレート（６）の背面より該バックプレート（６）の内面方向に折曲げるだけでよいから簡単で、鏡体（２），枠体（５），バックプレート（６）の一体化も確実である。
【発明を実施するための最良の形態】
【０００９】
本発明の一実施例を図面で説明すると（１０）はカーブミラー本体で、鏡面（１）が凸状に形成された鏡体（２）と、枠体（５）と、バックプレート（６）と、上記バックプレート（６）の背面に設けられ、柱（７）に取り付ける為の取付け金具（８）とよりなる。
【００１０】
而して枠体（５）はアルミ等の比較的軟質の材料で作られ、その水平軸線上に上記鏡面（１）の凸状部が突出する鏡面（１）の外周径より小径の穴部（３）を有し、該小径部分の裏面（内面）周囲は上記鏡面（１）の湾曲率と同じ湾曲形状となっている。
また、この枠体（５）の背部は、その内径が鏡体（２）の外周径と略々同一の筒状となっており、かつ後述するバックプレート（６）の巾よりも充分長いものとなっている。
【００１１】
そのバックプレート（６）は、外周径が上記鏡体（２）の内径と同等で、背面方向に縁部（１１）のある垂直な碗状をしている。
またその背面には柱（７）に取り付ける為の、公知の取付け金具（８）がある。なお図中符号（１２）は、鏡面（１）の上方に設けられる公知のフードである。
【００１２】
而して、このカーブミラー本体（１０）を設置する現場で、あるいは工場で組み立てるにはまず鏡体（２）を枠体（５）のはいめんから嵌合させ、鏡面（１）の凸状部分を枠体（５）の穴部（３）より前方に突出させる。
この結果、該小径部分の裏面（内面）周囲は上記鏡面（１）の湾曲率と同じ湾曲形状となっているから、この鏡面（１）の前部周囲と枠体（５）の湾曲内面とが衝合し鏡面（１）は枠体（５）より前方に突出することがない。
【００１３】
次いで、上記バックプレート（６）を枠体（５）の背面から嵌合させ、その前面部周囲を上記鏡体（２）の背面外周囲に当接させる。
【００１４】
このとき上記枠体（５）の背部は、その内径が鏡体（２）の外周径と略々同一の筒状でバックプレート（６）の巾よりも充分長いものとなっており、さらにアルミ等の比較的軟質の材料で作られており、かつのある垂直な碗状をしているから、枠体（５）の当該長い部分（９）を、バックプレート（６）の縁部（１１）を跨がせてバックプレート（６）背後よりその内側に沿って折り曲げる。この場合上記枠体（５）と鏡体（２）および枠体（５）とバックプレート（６）の当接が確実な位置までバックプレート（６）背後よりその内側に沿って折り曲げることが肝要である。
【００１５】
斯して、従来のように鏡体（２）と枠体（５）とバックプレート（６）を一体に固定するのにボルトナットのような複数の止め金具を必要せず、またその組み立ても、上記のように枠体（５）の長い部分（９）をバックプレート（６）の背面より該バックプレート（６）の内面に折曲げるだけでよいから簡単で、鏡体（２），枠体（５），バックプレート（６）の一体化も確実で、カーブミラー全体の耐久性を格段に飛躍させたのである。
【図面の簡単な説明】
【００１６】
【図１】道路反射鏡本体全体の縦断面図
【図２】図１のＡ−Ａ線拡大断面図
【図３】組み立て順序を説明する為の側面図
【符号の説明】
【００１７】
１，  鏡面
２，  鏡体
３，  穴部
４，  短筒状
５，  枠体
６，  バックプレート
７，  柱
８，  取付け金具
９，  長い部分
１０，カーブミラー本体
１１，縁部
１２，フード
【図１】
2006183420.tif 000003
【図２】
2006183420.tif 000004
【図３】
2006183420.tif 000005